(57)【要約】【課題】保留演出の実行に際し、趣向性の向上を図ることが可能な遊技機の提供を目的とする。【解決手段】遊技の進行に応じて発生する判定権利に起因して遊技に関する当り外れを判定する当否判定手段と、判定権利に対する判定結果の報知が完了するまでの間に別の判定権利が発生した場合に、当該別の判定権利に対する判定結果とその報知態様を保留記憶する保留手段と、判定権利のうち判定結果の報知待ちの保留権利に対応させて保留表示体を表示する保留表示手段と、保留表示態様の表示態様によって保留権利の判定結果又はその報知態様を示唆する保留演出を実行する保留演出手段とを備え、保留演出手段は、保留演出の対象となる第１保留権利とは異なる第２保留権利が存在することを条件にして行われる予備抽選に当たったときに、保留演出を実行する。【選択図】図２
2016059823.tif 000002
【特許請求の範囲】
【請求項１】
遊技の進行に応じて発生し得る判定権利に起因して遊技に関する当り外れを判定する当否判定手段と、
前記判定権利を用いて、その判定権利に対する判定結果を報知する判定結果報知手段と、
前記判定結果の報知が完了していない状態で別の判定権利が発生した場合に、前記別の判定権利に対する前記判定結果とその判定結果の報知に先立って行われる判定演出に関する情報とを前記別の判定権利が用いられるまで保留記憶する保留手段と、
前記判定権利のうち前記判定結果の報知待ちの複数の保留権利のそれぞれに対応させて、保留表示体を表示する保留表示手段と、
前記保留権利が予め設定された保留演出条件を満たす第１保留権利であることを条件として、その第１保留権利に対応する前記保留表示体の表示態様によって前記第１保留権利に対する前記判定結果又は前記判定演出の内容を示唆する保留演出を実行する保留演出手段と、を備えた遊技機において、
前記保留権利として前記第１保留権利とは異なる第２保留権利が存在することを条件にして、前記保留演出を実行するか否かについての予備抽選を行う予備抽選手段を備え、
前記保留演出手段は、前記予備抽選に当たったときに、前記保留演出を実行することを特徴とする遊技機。
【請求項２】
遊技者が操作可能な操作部と、
前記第１保留権利と前記第２保留権利の両方が存在するときに、前記操作部の操作を遊技者に促す促し報知を行う促し報知手段と、を備え、
前記予備抽選手段は、前記促し報知に従って前記操作部が操作されたときに、前記予備抽選を行うことを特徴とする請求項１に記載の遊技機。
【請求項３】
前記予備抽選手段は、前記促し報知に従って前記操作部の操作がされたときに予備抽選乱数を取得し、その取得した予備抽選乱数に基づいて前記予備抽選を行うことを特徴とする請求項２に記載の遊技機。
【請求項４】
前記促し報知手段及び前記予備抽選手段は、前記第２保留権利が複数存在するときに、それら複数の前記第２保留権利のそれぞれに対応させて、所定の順序で、前記促し報知及び前記予備抽選を実行可能に構成されると共に、
前記促し報知手段は、一の第２保留権利に対応する前記予備抽選に当たったときに、次の第２保留権利に対応する前記促し報知を実行する一方、前記一の第２保留権利に対応する前記予備抽選に外れたときには、以降に実行する予定の前記促し報知を中止し、
前記保留演出手段は、全ての前記第２保留権利に対する前記予備抽選に当たったときに、前記保留演出を実行することを特徴とする請求項２又は３に記載の遊技機。
【請求項５】
前記予備抽選の当選確率を前記第２保留権利ごとに異ならせたことを特徴とする請求項４に記載の遊技機。
【請求項６】
前記予備抽選の当選確率を、前記第１保留権利に対する前記判定結果又は前記判定演出に応じて異ならせたことを特徴とする請求項１乃至５のうち何れか１の請求項に記載の遊技機。
【請求項７】
前記保留表示手段は、前記保留表示体を、通常の表示態様、又は、前記通常の表示態様とは異なる特別な表示態様で表示可能に構成されると共に、前記第１保留権利と前記第２保留権利の両方が存在するときに、前記第１保留権利に対応する前記保留表示体である第１保留表示体を前記特別な表示態様で表示することを特徴とする請求項１乃至６のうち何れか１の請求項に記載の遊技機。
【請求項８】
前記保留表示手段は、前記予備抽選が行われなかったとき、又は、前記予備抽選に外れたときに、前記第１保留表示体を前記通常の表示態様で表示することを特徴とする請求項７に記載の遊技機。
【請求項９】
前記保留手段は、前記第１保留表示体が前記通常の表示態様になった後も、前記第１保留権利の前記判定結果及び前記判定演出に関する情報をそのまま保留記憶することを特徴とする請求項８に記載の遊技機。
【発明の詳細な説明】
【技術分野】
【０００１】
本発明は、判定権利の発生に伴って遊技に関する当り外れを判定すると共に、判定権利を用いてその判定権利に対する判定結果を報知し、判定結果の報知が完了するまでに別の判定権利が発生した場合に、当該別の判定権利を保留する遊技機に関する。
【背景技術】
【０００２】
従来、この種の遊技機として、判定権利の保留に対応して表示される保留表示体の表示態様によって、当該保留の判定結果やその判定結果の報知に先立って行われる演出の内容を示唆する保留演出を行うものが知られている（例えば、特許文献１）。
【先行技術文献】
【特許文献】
【０００３】
【特許文献１】特開２００５−２６１５２４号公報（［００２６］、図１４）
【発明の概要】
【発明が解決しようとする課題】
【０００４】
しかしながら、上述した従来の遊技機では、保留演出が実行されるか否かは、保留演出の対象となる保留のみに基づいて決定されるため、保留演出の実行に際して、趣向性に欠けるという問題があった。
【０００５】
本発明は、上記事情に鑑みてなされたもので、保留演出の実行に際して、趣向性の向上を図ることが可能な遊技機の提供を目的とする。
【課題を解決するための手段】
【０００６】
上記目的を達成するためになされた請求項１の発明に係る遊技機は、遊技の進行に応じて発生し得る判定権利に起因して遊技に関する当り外れを判定する当否判定手段と、判定権利を用いて、その判定権利に対する判定結果を報知する判定結果報知手段と、判定結果の報知が完了していない状態で別の判定権利が発生した場合に、別の判定権利に対する判定結果とその判定結果の報知に先立って行われる判定演出に関する情報とを別の判定権利が用いられるまで保留記憶する保留手段と、判定権利のうち判定結果の報知待ちの複数の保留権利のそれぞれに対応させて、保留表示体を表示する保留表示手段と、保留権利が予め設定された保留演出条件を満たす第１保留権利であることを条件として、その第１保留権利に対応する保留表示体の表示態様によって第１保留権利に対する判定結果又は判定演出の内容を示唆する保留演出を実行する保留演出手段と、を備えた遊技機において、保留権利として第１保留権利とは異なる第２保留権利が存在することを条件にして、保留演出を実行するか否かについての予備抽選を行う予備抽選手段を備え、保留演出手段は、予備抽選に当たったときに、保留演出を実行するところに特徴を有する。
【０００７】
請求項２の発明は、請求項１に記載の遊技機において、遊技者が操作可能な操作部と、第１保留権利と第２保留権利の両方が存在するときに、操作部の操作を遊技者に促す促し報知を行う促し報知手段と、を備え、予備抽選手段は、促し報知に従って操作部が操作されたときに、予備抽選を行うところに特徴を有する。
【０００８】
請求項３の発明は、請求項２に記載の遊技機において、予備抽選手段は、促し報知に従って操作部の操作がされたときに予備抽選乱数を取得し、その取得した予備抽選乱数に基づいて前記予備抽選を行うところに特徴を有する。
【０００９】
請求項４の発明は、請求項２又は３に記載の遊技機において、促し報知手段及び予備抽選手段は、第２保留権利が複数存在するときに、それら複数の第２保留権利のそれぞれに対応させて、所定の順序で、促し報知及び予備抽選を実行可能に構成されると共に、促し報知手段は、一の第２保留権利に対応する予備抽選に当たったときに、次の第２保留権利に対応する促し報知を実行する一方、一の第２保留権利に対応する予備抽選に外れたときには、以降に実行する予定の促し報知を中止し、保留演出手段は、全ての第２保留権利に対する予備抽選に当たったときに、保留演出を実行するところに特徴を有する。
【００１０】
請求項５の発明は、請求項４に記載の遊技機において、予備抽選の当選確率を第２保留権利ごとに異ならせたところに特徴を有する。
【００１１】
請求項６の発明は、請求項１乃至５のうち何れか１の請求項に記載の遊技機において、予備抽選の当選確率を、第１保留権利に対する判定結果又は判定演出に応じて異ならせたところに特徴を有する。
【００１２】
請求項７の発明は、請求項１乃至６のうち何れか１の請求項に記載の遊技機において、保留表示手段は、保留表示体を、通常の表示態様、又は、通常の表示態様とは異なる特別な表示態様で表示可能に構成されると共に、第１保留権利と第２保留権利の両方が存在するときに、第１保留権利に対応する保留表示体である第１保留表示体を特別な表示態様で表示するところに特徴を有する。
【００１３】
請求項８の発明は、請求項７に記載の遊技機において、保留表示手段は、予備抽選が行われなかったとき、又は、予備抽選に外れたときに、第１保留表示体を通常の表示態様で表示するところに特徴を有する。
【００１４】
請求項９の発明は、請求項８に記載の遊技機において、保留手段は、第１保留表示体が通常の表示態様になった後も、第１保留権利の判定結果及び判定演出に関する情報をそのまま保留記憶するところに特徴を有する。
【発明の効果】
【００１５】
［請求項１の発明］
請求項１の発明では、第１保留権利とは異なる第２保留権利が存在することを条件にして予備抽選が行われ、その予備抽選に当たったときに、保留演出が実行される。このように、本発明によれば、保留演出の対象となる第１保留権利だけでなく第２保留権利にも起因して保留演出が実行されるので、保留演出の実行に際して、趣向性の向上を図ることが可能となる。
【００１６】
［請求項２の発明］
請求項２の発明によれば、遊技者により操作部が操作されたときに予備抽選が行われるので、遊技者の意志によって予備抽選を行わせることが可能となる。
【００１７】
［請求項３の発明］
請求項３の発明によれば、予備抽選の抽選結果が遊技者の操作そのもので左右されるので、操作部を操作する遊技者の遊技に参加することに対する趣向性を高めることが可能となる。
【００１８】
［請求項４の発明］
請求項４の発明によれば、複数の予備抽選を経て保留演出の実行が決定されるので、保留演出の実行へ向けて段階的に近づく印象を遊技者に付与することが可能となる。
【００１９】
［請求項５の発明］
請求項５の発明によれば、複数の予備抽選の間で当選確率が異なるので、予備抽選についての趣向性を向上させることが可能となる。
【００２０】
［請求項６の発明］
請求項６の発明では、第１保留権利に対する判定結果又は判定演出の内容によって、予備抽選の当選確率が異なるので、予備抽選に当選するか否かについて遊技者に興味を抱かせることが可能となる。
【００２１】
［請求項７の発明］
請求項７の発明によれば、第１保留表示体が特別な表示態様で表示されるので、保留演出の対象となりうる保留権利を遊技者に認識させることが可能となる。
【００２２】
［請求項８の発明］
請求項８の発明では、第１保留表示体の表示態様は、予備抽選に外れたときに通常の表示態様に変更されるので、予備抽選の当り外れの差を遊技者に認識させ易くすることが可能となる。
【００２３】
［請求項９の発明］
請求項９の発明によれば、予備抽選に外れた後も、第１保留権利に対する判定結果及び判定演出の内容はそのまま維持されるので、予備抽選に外れた場合であっても、第１保留権利に対する判定結果や判定演出の内容について遊技者に期待を抱かせることが可能となる。
【図面の簡単な説明】
【００２４】
【図１】本発明の一実施形態に係るパチンコ遊技機の正面図
【図２】保留演出が実行されるまでの流れを示す図
【図３】保留演出が実行されるまでの流れを示す図
【図４】パチンコ遊技機の電気的な構成を示すブロック図
【図５】保留演出処理のフローチャート
【図６】保留演出処理のフローチャート
【図７】変形例に係る保留演出が実行されるまでの流れを示す図
【図８】（Ａ）変形例に係る予備抽選の流れを示す図、（Ｂ）変形例に係る予備抽選の流れを示す図
【発明を実施するための形態】
【００２５】
以下、本発明をパチンコ遊技機に適用した一実施形態を図１〜図６に基づいて説明する。図１に示すように、本実施形態のパチンコ遊技機１０（以下、単に、遊技機１０という。）は、遊技板１１の前面に、ガイドレール１２で囲まれた略円形の遊技領域Ｒ１を備えている。
【００２６】
遊技板１１の前面は、遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。また、ガラス窓１０Ｗより下方には、上皿２６及び下皿２７が上下２段にして設けられ、下皿２７の右端部には発射用ハンドル２８が設けられている。そして、発射用ハンドル２８を回動操作すると、上皿２６に収容された遊技球が遊技領域Ｒ１に向けて弾き出される。
【００２７】
上皿２６の上部には、遊技者が押し下げ可能な操作ボタン２９が備えられている。操作ボタン２９は、本発明の「操作部」に相当し、次述する表示画面３０Ｇで行われる演出に伴って、適宜、使用される。
【００２８】
遊技板１１のうち遊技領域Ｒ１の中央には、異形の遊技板表示窓１１Ｈが貫通形成されており、その遊技板表示窓１１Ｈに遊技板１１の裏面側から表示装置３０が対向している。表示装置３０は、例えば、液晶モジュールで構成され、表示装置３０の前面に形成された表示画面３０Ｇには、遊技に関する演出が表示される。
【００２９】
遊技板１１の前面中央には、表示画面３０Ｇを囲むように表示装飾枠２３が取り付けられている。表示装飾枠２３は、遊技板１１の前面側から遊技板表示窓１１Ｈに嵌め込まれ、遊技板表示窓１１Ｈの内側に張り出すと共に、遊技板１１の前面から突出している。そして、遊技領域Ｒ１を流下する遊技球が、表示装飾枠２３の外側を通過して表示装飾枠２３の内側に進入しないように構成されている。
【００３０】
遊技領域Ｒ１のうち表示装飾枠２３の下方における左右方向の中央部には、第１と第２の始動入賞口１４Ａ，１４Ｂが、上下に間隔を開けて並べて配置され、第１の始動入賞口１４Ａの右側には、大入賞口１５が備えられている。また、遊技領域Ｒ１には、始動入賞口１４Ａ，１４Ｂ及び大入賞口１５のほかに、複数の一般入賞口２０が備えられている。各入賞口１４Ａ，１４Ｂ，１５，２０の何れにも入賞しなかった遊技球は、遊技領域Ｒ１の下端に配置されたアウト口１６に全て取り込まれる。
【００３１】
遊技領域Ｒ１のうち表示装飾枠２３の右側には、始動ゲート１８が設けられている。なお、図示しないが、遊技領域Ｒ１には多数の障害釘が植設されている。
【００３２】
次に所要の各部位についてさらに詳説する。一般入賞口２０は、所謂、ポケット構造をなして、遊技板１１の前面から突出した部材上面に開放しており、遊技球が丁度１つ入球可能な大きさで上方に開口している。そして、一般入賞口２０に遊技球が入ると、例えば、４個の遊技球が賞球として上皿２６に払い出される。
【００３３】
始動ゲート１８は、遊技球が潜って通過可能な門形構造をなし、始動ゲート１８を遊技球が通過すると、普通図柄当否判定が行われ、図示しない普通図柄表示部にて判定結果が表示される。
【００３４】
第１の始動入賞口１４Ａは、一般入賞口２０と同様に、ポケット構造になっていて、遊技球が１つずつ入ることが可能な大きさで上方に開口している。また、第２の始動入賞口１４Ｂは、遊技球が１つずつ入ることが可能な大きさで前方に開口し、通常は、回動扉１４Ｔにて前方が閉塞されることで、遊技球の入球が規制されている。回動扉１４Ｔは、上述した普通図柄当否判定の結果が当たりとなったときに、所定時間だけ前側に倒れる。そして、可動扉１４Ｔが前側に倒れている間、第２の始動入賞口１４Ｂへの遊技球の入球が許容される。
【００３５】
各始動入賞口１４Ａ，１４Ｂに遊技球が入球すると、例えば、４個の遊技球が賞球として上皿２６に払い出されると共に、特別図柄当否判定が行われる。即ち、本実施形態では、各始動入賞口１４Ａ，１４Ｂに遊技球が入球することで、特別図柄に関する判定権利が発生する。特別図柄当否判定の判定結果は、判定権利の使用に伴って、表示画面３０Ｇにて報知される。詳細には、判定権利が用いられると、表示画面３０Ｇでは、判定結果の報知に先立って、判定結果に関連した判定演出が行われる。そして、判定結果が当りの場合には、判定演出の終了後、大当り遊技状態となって大当り遊技が実行される。これに対し、判定結果が外れの場合には、大当り遊技状態ではない通常遊技状態が続く。
【００３６】
大入賞口１５は、横長矩形に形成されて、通常遊技状態では、可動扉１５Ｔにて閉塞されている。大当り遊技が行われると、可動扉１５Ｔが所定期間に亘って前側に倒されて大入賞口１５が開放し、可動扉１５Ｔを案内にして、大入賞口１５に多くの遊技球が入球可能となる。大入賞口１５に遊技球が入球すると、例えば、１個の入球につき１５個の遊技球が賞球として上皿２６に払い出される。
【００３７】
表示画面３０Ｇには、上述したように、特別図柄当否判定に関連した判定演出が表示される。具体的には、表示画面３０Ｇの中央部には、３つの特別図柄３２Ａ，３２Ｂ，３２Ｃが横並びに停止表示されている。これら各特別図柄３２Ａ〜３２Ｃは、例えば、「０」〜「９」の数字を表記した複数種類のもので構成されており、通常は、各特別図柄３２Ａ〜３２Ｃごと、所定の種類のものが停止表示されている。そして、始動入賞口１４Ａ，１４Ｂに遊技球が入球すると、これら３つの特別図柄３２Ａ〜３２Ｃが、変動表示（例えば、上下方向にスクロール表示）され、所定時間経過後に、例えば、左、右、中の順に停止表示される。そして、停止した特別図柄３２Ａ〜３２Ｃの組合せにより、特別図柄当否判定の判定結果を報知するようになっていて、例えば、特別図柄３２Ａ〜３２Ｃが全て同じ図柄（ゾロ目）の場合に、当りであることを示し、ゾロ目以外の組み合わせの場合に、外れであることを示すようになっている。
【００３８】
ここで、判定演出の最中又は大当り遊技中に始動入賞口１４Ａ，１４Ｂに遊技球が入球した場合、その入球に起因した判定権利は、例えば、４回分まで保留され、各判定権利に対する判定結果及び判定演出に関する情報が保留記憶される。そして、実行中の判定演出又は大当り遊技が終了すると、再び、判定権利が用いられ、その判定権利に対応した判定演出が行われる。このとき、判定権利は、原則として、発生順に用いられる。
【００３９】
図２（Ａ）に示すように、判定権利が保留されると、その判定結果の報知待ちの判定権利（以下、「保留権利」という。）に対応した保留表示体３３が表示画面３０Ｇに表示される。これにより、保留権利が何個存在するかを遊技者に認識させることができる。
【００４０】
具体的には、表示画面３０Ｇの下部には、例えば、４つの保留表示部３４が横並びに表示され、保留権利が発生すると、左側の保留表示部３４から順番に保留表示体３３が表示されていく（図２（Ａ）から図２（Ｂ）への変化を参照）。従って、保留権利が複数存在する場合には、一番左の保留表示部３４の保留表示体３３が、一番古い保留権利に対応したものとなっている。保留権利が発生順に用いられると、一番左の保留表示体３３が、表示画面３０Ｇの左下部に設けられた演出中保留表示部３５に移動して、その判定権利に対応する判定演出が開始され、判定結果の報知待ちの保留権利に対応する保留表示体３３が、１つ左の保留表示部３４へ移動する。なお、図３（Ａ）から図３（Ｂ）の変化及び図３（Ｃ）から図３（Ｄ）への変化では、保留権利が２つ用いられた場合の変化が示されている。
【００４１】
ところで、本実施形態の遊技機１０では、保留表示体３３の表示態様によってその保留表示体３３に対応する保留権利の判定結果や判定演出の内容を示唆する保留演出が実行されることがある。以下、この保留演出について、図２及び図３に基づいて説明する。
【００４２】
保留演出が実行されるためには、まず、条件（Ａ）「保留権利が予め定められた保留演出条件を満たす第１保留権利であること」が必要となっている。なお、本実施形態では、条件（Ａ）を満たすためには、条件（Ａ１）「保留権利が３番目の保留権利であること」、及び、条件（Ａ２）「保留権利に対する判定結果が、特別図柄３２Ａと特別図柄３２Ｃが同じ図柄である、即ち、リーチであること」が必要となっている。
【００４３】
図２（Ｂ）に示すように、発生した保留権利が第１保留権利であると、その第１保留権利に対応する保留表示体３３Ａ（以下、「第１保留表示体３３Ａ」という。）は、「？」という文字が付された態様で表示される。これにより、保留演出の対象となり得る保留権利の存在を遊技者に認識させて、遊技者に保留演出への期待を付与すること可能となる。なお、保留表示体３３は、通常は、例えば、白色で文字等が付されない態様で表示され、この表示態様が本発明の「通常の表示態様」に相当する。また、第１保留表示体３３Ａの表示態様、即ち、「？」が付された表示態様は、本発明の「特別な表示態様」に相当する。
【００４４】
本実施形態では、保留演出が実行されるには、条件（Ａ）に加えて、条件（Ｂ）「保留演出を実行するか否かについての予備抽選に当選すること」が必要となっている。この予備抽選が行われるには、条件（Ｂ１）「第１保留権利とは異なる第２保留権利が存在すること」が必要となっている。本実施形態では、第２保留権利は、１番目と２番目の保留権利となっている。従って、条件（Ｂ１）は、上述の条件（Ａ１）を満たす場合、必然的に満たされる。
【００４５】
また、予備抽選が行われるには、上記条件（Ｂ１）に加えて、条件（Ｂ２）「促し報知に従って操作ボタン２９が操作されること」が必要となっている。ここで、促し報知は、条件（Ｂ１）を満たす場合に操作ボタン２９の操作を遊技者に促す演出であって、以下のようにして行われる。即ち、第１保留権利と第２保留権利の両方が存在すると、図２（Ｂ）に示すように、第２保留権利に対応する第２保留表示体３３Ｂが表示されている保留表示部３４の下に、操作ボタン２９を模した形状に「押」という文字が付された促し報知体３８が表示され、この促し報知体３８の表示をもって操作ボタン２９の押圧操作を遊技者に促す。即ち、促し報知体３８の表示が「促し報知」に相当する。
【００４６】
予備抽選は以下のようにして行われる。即ち、促し報知に従って操作ボタン２９が操作されると、その操作に起因して、予備抽選乱数が取得される。そして、この予備抽選乱数に基づいて、予備抽選の当り外れが判定される。ここで、促し報知体３８は、当該促し報知体３８が表示されたときに実行中の判定演出が終了すると、消失する。従って、上述の「促し報知に従って操作ボタン２９を操作される」とは、促し報知体３８が表示されている間に操作ボタン２９が操作されることを意味する。なお、促し報知体３８が消失すると、第１保留表示体３３Ａの「？」の文字が消失して、第１保留表示体３３Ａが通常の表示態様に戻るようになっている（図２（Ｄ）参照）。
【００４７】
本実施形態では、促し報知は、２つの第２保留権利（１番目と２番目の第２保留権利）のそれぞれに対して行われる。そして、それら促し報知に対する各予備抽選の両方に当選したときに、保留演出が実行される。具体的には、２つの予備抽選は、以下のようにして行われる。
【００４８】
図２（Ｂ）に示すように、１回目の促し報知が行われると、１番目の第２保留権利に対応する第２保留表示体３３Ｂ（図２（Ｂ）では、左側の第２保留表示体３３Ｂ。以下、１番目の第２保留表示体３３Ｂという。）に対応して促し報知体３８が表示される。１番目の第２保留表示体３３Ｂに対する促し報知（１回目の促し報知）に従って操作ボタン２９が操作されると、１回目の予備抽選が行われる。そして、この１回目の予備抽選に当選すると、図２（Ｂ）から図２（Ｃ）への変化に示すように、促し報知体３８が「ＯＫ」という文字に変化して１回目の予備抽選に当たったことを報知し、２番目の第２保留権利に対応する第２保留表示体３３Ｂ（図２（Ｂ）では、右側の第２保留表示体３３Ｂ。以下、２番目の第２保留表示体３３Ｂという。）に対して促し報知体３８が表示される。一方、１回目の予備抽選に外れると、図２（Ｂ）から図２（Ｄ）への変化に示すように、１番目の第２保留表示体３３Ｂに対する促し報知体３８が「ＮＧ」という文字に変化して予備抽選に外れたことを報知し、その後、「ＮＧ」の文字が消失する。なお、予備抽選に外れると、第１保留表示体３３Ａは通常の表示態様に戻る。
【００４９】
２番目の第２保留表示体３３Ｂに対する促し報知（２回目の促し報知）に従って操作ボタン２９が操作されると、２回目の予備抽選が行われる。２回目の予備抽選に外れた場合には、１回目の予備抽選のときと同様に、促し報知体３８が「ＮＧ」という文字に変化して予備抽選に外れたことを報知し（図２（Ｃ）から図３（Ｃ）への変化を参照）、その後、「ＮＧ」の文字が消失する。なお、１回目の予備抽選に当たったことを示す「ＯＫ」の文字は、２回目の予備抽選に外れたことを示す「ＮＧ」の文字の消失と同時に消失する。また、２回目の予備抽選の場合についても、予備抽選に外れると、第１保留表示体３３Ａは通常の表示態様に戻る。本実施形態では、予備抽選が行われなかった場合、又は、予備抽選に外れた場合であっても、第１保留権利に対する判定結果及び判定演出の内容は、そのまま変更されることなく保留記憶される。
【００５０】
２回目の予備抽選に当たった場合には、１回目の予備抽選のときと同様に、促し報知体３８が「ＯＫ」という文字に変化して予備抽選に当たったことを報知し、保留演出が実行される。本実施形態では、保留演出が行われると、図２（Ｃ）から図３（Ａ）への変化に示すように、第１保留表示体３３Ａの「？」が「好機」という文字に変更される。この「好機」の文字は、例えば、青、緑、赤の３種類で表示されるようになっていて、青＜緑＜赤の順番で、第１保留権利に対する判定結果が当りであることへの信頼度が高くなるように設定されている。即ち、本実施形態の保留演出では、第１保留表示体３３Ａを、「好機」の文字を付した態様で表示することで、第１保留権利に対する判定結果を示唆するようになっている。なお、「好機」の文字は、第１保留権利に対する判定結果の報知が完了するまで表示される。
【００５１】
このように、本実施形態では、複数の予備抽選を経て保留演出の実行が決定されるので、保留演出の実行へ向けて段階的に近づく印象を遊技者に付与することが可能となる。なお、１回目と２回目の促し報知における促し報知体３８は何れも、１回目の促し報知に対する促し報知体３８が表示されたときに実行中の判定演出が終了すると、消失する。即ち、２回の予備抽選は、１回の判定演出（１回の特別図柄３２Ａ〜３２Ｃの変動）の間に行われることになる。
【００５２】
ところで、本実施形態では、図２及び図３に示すように、１回目の予備抽選の当選確率が１／４となっていて、２回目の予備抽選の当選確率が１／２となっている。このように、本実施形態の遊技機１０では、１回目と２回目の予備抽選で当選確率が異なるので、予備抽選についての趣向性を向上させることが可能となる。しかも、１回目の予備抽選よりも２回目の予備抽選の方が当選確率が高くなっているので、１回目の予備抽選に当選すれば２回目の予備抽選にも当選し易くなり、２回の予備抽選によって保留演出実行の機会が極端に低減されることを抑制可能となる。
【００５３】
図４には、遊技機１０の電気的な構成が示されている。同図における符号５１は、主制御回路５１であって、ＣＰＵ５１Ａ、ＲＡＭ５１Ｂ、ＲＯＭ５１Ｃ及び複数のカウンタを備えたマイクロコンピュータと、該マイクロコンピュータとサブ制御回路５２を結ぶ入出力回路と、大入賞口等が接続された中継回路５７及び払出制御回路５８等を結ぶ入出力回路とを備え、大当りに関する当否判定等、遊技に関わる主制御を行う。ＣＰＵ５１Ａは、当否判定部、制御部、演算部、各種カウンタ、各種レジスタ、各種フラグ等を備え、演算制御を行う他、当否判定に関する乱数等も生成し、制御信号をサブ制御回路５２等へ出力（送信）可能に構成されている。ＲＡＭ５１Ｂは、ＣＰＵ５１Ａで生成される各種乱数値用の記憶領域、各種データを一時的に記憶する記憶領域やフラグ、ＣＰＵ５１Ａの作業領域を備える。ＲＯＭ５１Ｃには、各種制御データ等が書き込まれている他、当否判定の判定値等が書き込まれている。
【００５４】
サブ制御回路５２は、主制御回路５１と同様に、ＣＰＵ５２Ａ、ＲＡＭ５２Ｂ、ＲＯＭ５２Ｃ及び複数のカウンタを備えたマイクロコンピュータと、前記マイクロコンピュータと主制御回路５１を結ぶ入出力回路と、表示制御回路５４、音声制御回路５５及びランプ制御回路５６、操作ボタン２９等を結ぶ入出力回路を備えている。ＣＰＵ５２Ａは、制御部、演算部、各種カウンタ、各種レジスタ、各種フラグ等を備え、演算制御を行う他、制御信号を表示制御回路５４及びランプ制御回路５６、音声制御回路５５等へ出力（送信）可能に構成されている。また、ＣＰＵ５２Ａは、操作ボタン２９からの信号を受信して、各種処理を実行する。ＲＡＭ５２Ｂは、各種データの記憶領域とＣＰＵ５２Ａによる作業領域を有している。ＲＯＭ５２Ｃには、後述する保留演出処理Ｓ１０（図５及び図６参照）のプログラムや各種演出のデータ等が記憶されている。
【００５５】
表示制御回路５４は、サブ制御回路５２からの制御信号に基づきＣＰＵがＲＯＭから所定の表示制御データを読み出し、ＲＡＭの記憶領域で制御用データを生成して表示装置３０に出力する。制御用データを受信した表示装置３０は、表示画面３０Ｇで表示する画像データを作成して、表示画面３０Ｇに画像を出力する。
【００５６】
音声制御回路５５は、サブ制御回路５２から出力される制御信号に基づき、スピーカから発生されるＢＧＭや演出時の音声の選択を行い、その音声を制御する。
【００５７】
ランプ制御回路５６は、サブ制御回路５２から出力される制御信号に基づいて、装飾ランプや演出用役物（図示せず）等に実装された複数のＬＥＤをオンオフ制御する。
【００５８】
なお、各制御回路５１，５２，５４〜５８は、電源基板６０からの電源供給を受けて作動する。
【００５９】
本実施形態では、主制御回路５１が、大当りについての判定を行う構成となっていて、本発明の「当否判定手段」に相当する。また、主制御回路５１は、大当りや判定演出に関する情報をＲＡＭ５１Ｂに記憶する構成となっていて、本発明の「保留手段」にも相当する。また、本実施形態では、サブ制御回路５２が、表示制御回路５４を介して表示画面３０Ｇの表示、具体的には、特別図柄３２Ａ〜３２Ｃの表示や保留表示体３３の表示を制御する構成となっていて、本発明の「判定結果報知手段」及び「保留表示手段」に相当する。また、サブ制御回路５２は、本発明の「保留演出手段」にも相当し、一定の周期（例えば、１０ｍ秒）で図５〜図６に示す保留演出処理Ｓ１０を実行することにより、上述した保留演出（図２〜図３参照）を実行する。以下、サブ制御回路５２が行う保留演出処理Ｓ１０について説明する。
【００６０】
図５に示すように、保留演出処理Ｓ１０では、まず、３番目の保留権利が発生したときに実行されていた判定演出がまだ実行中であるか否かが判断される（Ｓ１１）。判定演出が実行中でない場合には（Ｓ１１でＮｏ）、この処理（Ｓ１０）を終了する。判定演出が実行中である場合には（Ｓ１１でＹｅｓ）、次いで、３番目の保留権利に対する判定結果がリーチであるか否かが判断される（Ｓ１２）。なお、リーチである場合には、最終的な特別図柄当否判定の判定結果が当りの場合と外れの場合の両方が含まれる。
【００６１】
３番目の保留権利に対する判定結果がリーチとならない場合には（Ｓ１２でＮｏ）、この保留演出処理（Ｓ１０）を終了する。一方、判定結果がリーチとなる場合には（Ｓ１２でＹｅｓ）、さらに、３番目の保留権利を保留演出の対象とするか否かが抽選により判断され（Ｓ１３）、保留演出の対象とすると判断された場合には（Ｓ１３でＹｅｓ）、次のステップＳ１４を実行し、保留演出の対象とすると判断されなかった場合には（Ｓ１３でＮｏ）、この処理（Ｓ１０）を終了する。このように、本実施形態では、上述の条件（Ａ１）、（Ａ２）を満たすことに加えて、抽選に当ったときに、第１保留権利が発生する。
【００６２】
ステップＳ１４では、３番目の保留権利を第１保留権利と、１番目と２番目の保留権利を第２保留権利として、第１保留権利に対応する第１保留表示体３３Ａに「？」を付して特別な表示態様に変更すると共に、１番目の第２保留権利に対応する第２保留表示体３３Ｂ（１番目の第２保留表示体３３Ｂ）の下に促し報知体３８を表示する（図２（Ｂ）参照）。
【００６３】
ステップＳ１４が終了すると、次いで、３番目の保留権利（第１保留権利）が発生したときに実行されていた判定演出が終了したか否かが判断される（Ｓ１５）。そして、判定演出が終了した場合には（Ｓ１５でＹｅｓ）、第１保留表示体３３Ａを通常の表示態様に戻すと共に促し報知体３８を消し（Ｓ１６）、この保留演出処理（Ｓ１０）を終了する。一方、判定演出が終了していない場合には（Ｓ１５でＮｏ）、操作ボタン２９が押されたか否かが判断される（Ｓ１７）。
【００６４】
操作ボタン２９が押された場合には（Ｓ１７でＹｅｓ）、第１予備抽選乱数Ａを０〜９９の中から１つ取得する（Ｓ１８）。一方、操作ボタン２９が押されていない場合には（Ｓ１７でＮｏ）、ステップＳ１５に戻って、３番目の保留権利（第１保留権利）が発生したときに実行されていた判定演出が終了したか否かが判断される。
【００６５】
第１予備抽選乱数Ａが取得されると、その第１予備抽選乱数Ａが当り乱数０〜２４であるか否かが判断される（Ｓ１９）。そして、第１予備抽選乱数Ａが当り乱数０〜２４でない場合には（Ｓ１９でＮｏ）、促し報知体３８を「ＮＧ」という表示に変更すると共に、第１保留表示体３３Ａを通常の表示態様に戻し、その後、「ＮＧ」表示を消して（Ｓ２０）、この保留演出処理（Ｓ１０）を終了する。一方、第１予備抽選乱数Ａが当り乱数０〜２４である場合には（Ｓ１９でＹｅｓ）、促し報知体３８を「ＯＫ」という表示に変更すると共に、２番目の第２保留権利に対応する第２保留表示体３３Ｂの下に促し報知体３８を表示する（Ｓ２１）。
【００６６】
ステップＳ２１が終了すると、図６に示すように、３番目の保留権利（第１保留権利）が発生したときに実行されていた判定演出が終了したか否かが再び判断される（Ｓ２２）。そして、そして、判定演出が終了した場合には（Ｓ２２でＹｅｓ）、第１保留表示体３３Ａを通常の表示態様に戻すと共に促し報知体３８及び「ＯＫ」の文字を消し（Ｓ２３）、この保留演出処理（Ｓ１０）を終了する。一方、判定演出が終了していない場合には（Ｓ２２でＮｏ）、操作ボタン２９が押されたか否かが判断される（Ｓ２４）。
【００６７】
操作ボタン２９が押された場合には（Ｓ２４でＹｅｓ）、第２予備抽選乱数Ｂを０〜９９の中から１つ取得する（Ｓ２５）。一方、操作ボタン２９が押されていない場合には（Ｓ２４でＮｏ）、ステップＳ２２に戻って、３番目の保留権利（第１保留権利）が発生したときに実行されていた判定演出が終了したか否かが判断される。
【００６８】
第２予備抽選乱数Ｂが取得されると、その第２予備抽選乱数Ｂが当り乱数０〜４９であるか否かが判断される（Ｓ２６）。そして、第２予備抽選乱数Ｂが当り乱数０〜４９でない場合には（Ｓ２６でＮｏ）、促し報知体３８を「ＮＧ」という表示に変更すると共に、第１保留表示体３３Ａを通常の表示態様に戻し、その後、「ＮＧ」表示を消して（Ｓ２７）、この保留演出処理（Ｓ１０）を終了する。一方、第２予備抽選乱数Ｂが当り乱数０〜４９である場合には、促し報知体３８を「ＯＫ」という表示に変更すると共に、第１保留表示体３３Ａの「？」を「好機」に変更して（Ｓ２８）、この保留演出処理（Ｓ１０）を終了する。なお、第１保留表示体３３Ａの「？」を「好機」に変更する際、第１保留権利の判定結果に基づいて、「好機」の文字が、赤、緑、青の何れかの色で表示される。
【００６９】
なお、本実施形態では、保留演出処理（Ｓ１０）におけるステップＳ１４，Ｓ２１を実行しているときのサブ制御回路５２が本発明の「促し報知手段」に相当し、ステップＳ１８〜Ｓ１９，Ｓ２５〜Ｓ２６を実行しているときのサブ制御回路５２が本発明の「予備抽選手段」に相当する。
【００７０】
本実施形態に係る遊技機１０の構成に関する説明は以上である。次に、遊技機１０の作用効果について説明する。
【００７１】
本実施形態の遊技機１０では、第１保留権利とは異なる第２保留権利が存在することを条件にして予備抽選が行われ、その予備抽選に当たったときに、第１保留権利に対応する第１保留表示体３３Ａの表示態様によって第１保留権利に対する判定結果を示唆する保留演出が実行される。このように、本実施形態の遊技機１０によれば、保留演出の対象となる第１保留権利だけでなく第２保留権利にも起因して保留演出が実行されるので、保留演出の実行に際して、趣向性の向上を図ることが可能となる。
【００７２】
また、本実施形態では、促し報知に従って操作ボタン２９が操作されたときに予備抽選が行われるので、遊技者の意志によって予備抽選を行わせることが可能となる。しかも、予備抽選の抽選結果が遊技者の操作に左右されるので、操作部を操作する遊技者にドキドキ感を与えることが可能となり、遊技者の遊技に参加することに対する趣向性を高めることが可能となる。
【００７３】
また、予備抽選に外れた場合、第１保留表示体３３Ａの表示態様が特別な表示態様（「？」を付した表示態様）から通常の表示態様（「？」が付されない表示態様）に変更されることで、何れの保留表示体３３が保留演出の対象であったかが遊技者に認識され難くなり、趣向性を高めることが可能である。さらに、第１保留権利に対する判定結果や判定演出の内容は、第１保留表示体３３Ａの表示態様が通常の表示態様であるか特別な表示態様であるかに拘わらず同じであるので、仮に、予備抽選に外れたことによって第１保留表示体３３Ａが通常の表示態様に変更されたとしても、第１保留権利が用いられるときには、予備抽選に当選たときと同じ判定結果の報知及び判定演出が実行される。これにより、保留演出が行われなかった場合であっても、第１保留権利が用いられるときの判定結果や判定演出の内容について、遊技者に期待を抱かせることが可能となる。具体的には、元々第１保留表示体３３Ａの遊技の進行状況は、第１保留表示体３３Ａが通常の表示態様か特別な表示態様に拘わらず同じであるので、仮に、予備抽選に外れたことによって特別な表示態様から通常の表示態様に変更されたとしても、その保留権利については、同じ判定演出が実行される。従って、同じ判定演出が行われることを知らない遊技者にとっては、予備抽選で外れても、予備抽選に当選したときと同じ判定演出が行われるので、意外性を与えることが可能となり、同じ判定演出が行われることを知っている遊技者にとっては、予備抽選で第１保留表示体３３Ａを変化させるという趣向性に加えて、第１保留権利に対応する判定演出について趣向性を高めることが可能となる。
【００７４】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７５】
（１）上記第１実施形態では、保留権利が第１保留権利となった場合に、第１保留表示体３３Ａが特別な表示態様（「？」が付された表示態様）で表示されていたが、通常の表示態様（「？」が付されない表示態様）で表示されてもよい。なお、本構成においても、促し報知の発生（促し報知体３８の表示）により、遊技者に保留演出の可能性を示唆することが可能である。
【００７６】
（２）上記実施形態では、保留演出が行われると、第１保留表示体３３Ａを、「好機」という文字を付して表示する構成であったが、「通常の表示態様」とは異なる色、模様、形状で表示する構成であってもよい。
【００７７】
（３）上記実施形態では、最大で４つの判定権利が保留記憶される構成であったが、２つ以上の判定権利が保留記憶される構成であれば、保留記憶可能な数は特に限定されない。なお、３つ以上の判定権利が保留記憶可能な構成であれば、第２保留表示体３３Ｂ（図２（Ｂ）参照）に対応させて予備抽選を複数回行うことが可能となる。
【００７８】
（４）上記実施形態では、２回の予備抽選の両方に当選した場合に、保留演出が実行される構成であったが、何れか一方の予備抽選に当選すれば保留演出が実行される構成であってもよい。
【００７９】
（５）上記実施形態では、第２保留権利は２つであったが、１つであってもよいし、３つ以上であってもよい。なお、第２保留権利が３つ以上である場合、３つの第２保留表示体３３Ｂに対して行われる予備抽選のうち一部（例えば、２つ）の予備抽選に当たったことを以て保留演出が実行されてもよい。
【００８０】
（６）上記実施形態では、第２保留権利は、第１保留権利より先に発生した判定権利であったが、第１保留権利より後に発生した判定権利であってもよい。具体的には、第１保留権利が２番目の保留権利で、第２保留権利が１番目と４番目の保留権利であってもよい。
【００８１】
（７）上記実施形態において、第１保留権利は、３番目に発生する保留権利に固定されていたが、第１保留権利の発生順が、例えば、判定演出の実行ごとに、ランダムに決定されてもよい。この場合、第２保留権利の発生順についてもランダムに決定すればよい。
【００８２】
（８）上記実施形態では、本発明の「操作部」の例として、ボタン式のものを示したが、レバー式、ダイヤル式、或いは、ハンドル式であってもよい。
【００８３】
（９）予備抽選の当選確率は、第１保留権利の判定結果や判定演出の内容に応じて異なっていてもよい。具体的には、図７に示すように、判定結果が外れの場合よりも当りの場合のほうが、予備抽選の当選確率が高くなっていてもよい。なお、図７の例においては、判定結果が当りであると、保留演出が実行され易くなるので、保留演出の実行によって、当りへの期待を遊技者に抱かせることが可能となる。
【００８４】
（１０）促し報知体３８の表示は、複数の判定演出に跨って行われてもよい。なお、この場合、促し表示体３８は、例えば、第１保留権利に対する判定演出が開始されるまで表示される。
【００８５】
（１１）上記実施形態では、保留演出が行われると、第１保留表示体３３Ａが、判定演出の内容を示唆する表示態様（「好機」の文字が付された表示態様）に必ず変化する構成であったが、通常の表示態様に戻る場合があってもよい。
【００８６】
（１２）予備抽選乱数の取得を第１保留権利の発生時に行い、操作ボタン２９が操作されたことを条件にして、取得した予備抽選乱数の当り外れを判定する構成であってもよい。
【００８７】
（１３）上記実施形態の保留演出は、第１保留権利に対する当否判定結果を示唆する構成であったが、判定演出の種類や、大当り以外に遊技者に有利となる特典（例えば、確変やＳＴ（回数限定付きの確変）への突入）への期待度を示唆する構成であってもよい。
【００８８】
（１４）上記実施形態では、第１保留権利が１つのみ存在する例を示したが、第１保留権利が複数存在してもよい。この場合、例えば、図８（Ａ）に示すように、先に使用される第１保留権利について、予備抽選によって保留演出の可否を決定した後、次に使用される第１保留権利について、保留演出の可否を決定すればよい。なお、図８（Ｂ）に示すように、先の第１保留権利に対する保留演出の可否を決定するために行われる予備抽選の結果が、次の第１保留権利に対する保留演出の可否に利用されてもよい。
【００８９】
（１５）上記実施形態では、１回目の予備抽選が１番目の第２保留表示体３３Ｂに対応して行われ、２回目の予備抽選が２番目の第２保留表示体３３Ｂに対応して行われるというように、予備抽選に対応する保留表示体３３が、１番目の保留表示体３３から順番に３番目の保留表示体３３である第１保留表示体３３Ａへ近づくように予備抽選が行われていたが、最終的に第１保留表示体３３Ａに近づくものであればどのような順番であってもよい。なお、その順番は、予め表示して遊技者に分かりやすくしてもよいし、予め表示されずに、予備抽選に当選することによって、初めて、次の促し報知体３８が表示されてもよい。
【００９０】
（１６）上記実施形態では、予備抽選での当否に拘わらず、第１保留権利に対する判定演出の内容が同じであったが、例えば、予備抽選に外れた場合には、第１保留権利に対する判定演出の内容を変更してもよい。
【符号の説明】
【００９１】
１０    パチンコ遊技機
２９    操作ボタン
３０Ｇ    表示画面
３３    保留表示体
３３Ａ    第１保留表示体
３３Ｂ    第２保留表示体
３８    促し報知体
５０    主制御回路
５２    サブ制御回路
【図１】
2016059823.tif 000003
【図２】
2016059823.tif 000004
【図３】
2016059823.tif 000005
【図４】
2016059823.tif 000006
【図５】
2016059823.tif 000007
【図６】
2016059823.tif 000008
【図７】
2016059823.tif 000009
【図８】
2016059823.tif 000010
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
遊技の進行に応じて発生し得る判定権利に起因して遊技に関する当り外れを判定する当否判定手段と、
前記判定権利を用いて、その判定権利に対する判定結果を報知する判定結果報知手段と、
前記判定結果の報知が完了していない状態で別の判定権利が発生した場合に、前記別の判定権利に対する前記判定結果とその判定結果の報知に先立って行われる判定演出に関する情報とを前記別の判定権利が用いられるまで保留記憶する保留手段と、
前記判定権利のうち前記判定結果の報知待ちの複数の保留権利のそれぞれに対応させて、保留表示体を表示する保留表示手段と、
前記保留権利が予め設定された保留演出条件を満たす第１保留権利であることを条件として、その第１保留権利に対応する前記保留表示体の表示態様によって前記第１保留権利に対する前記判定結果又は前記判定演出の内容を示唆する保留演出を実行する保留演出手段と、を備えた遊技機において、
前記保留権利として前記第１保留権利とは異なる第２保留権利が存在することを条件にして、前記保留演出を実行するか否かについての予備抽選を行う予備抽選手段を備え、
前記保留演出手段は、前記予備抽選に当たったときに、前記保留演出を実行し、
遊技者が操作可能な操作部と、
前記第１保留権利と前記第２保留権利の両方が存在するときに、前記操作部の操作を遊技者に促す促し報知を行う促し報知手段と、を備え、
前記予備抽選手段は、前記促し報知に従って前記操作部の操作がされたときに予備抽選乱数を取得し、その取得した予備抽選乱数に基づいて前記予備抽選を行うことを特徴とする遊技機。
【請求項２】
前記促し報知手段及び前記予備抽選手段は、前記第２保留権利が複数存在するときに、それら複数の前記第２保留権利のそれぞれに対応させて、所定の順序で、前記促し報知及び前記予備抽選を実行可能に構成されると共に、
前記促し報知手段は、一の第２保留権利に対応する前記予備抽選に当たったときに、次の第２保留権利に対応する前記促し報知を実行する一方、前記一の第２保留権利に対応する前記予備抽選に外れたときには、以降に実行する予定の前記促し報知を中止し、
前記保留演出手段は、全ての前記第２保留権利に対する前記予備抽選に当たったときに、前記保留演出を実行することを特徴とする請求項１に記載の遊技機。
【請求項３】
前記予備抽選の当選確率を前記第２保留権利ごとに異ならせたことを特徴とする請求項２に記載の遊技機。
【請求項４】
前記保留表示手段は、前記保留表示体を、通常の表示態様、又は、前記通常の表示態様とは異なる特別な表示態様で表示可能に構成されると共に、前記第１保留権利と前記第２保留権利の両方が存在するときに、前記第１保留権利に対応する前記保留表示体である第１保留表示体を前記特別な表示態様で表示することを特徴とする請求項１乃至３のうち何れか１の請求項に記載の遊技機。
【請求項５】
前記保留表示手段は、前記予備抽選が行われなかったとき、又は、前記予備抽選に外れたときに、前記第１保留表示体を前記通常の表示態様で表示することを特徴とする請求項４に記載の遊技機。
【請求項６】
前記保留手段は、前記第１保留表示体が前記通常の表示態様になった後も、前記第１保留権利の前記判定結果及び前記判定演出に関する情報をそのまま保留記憶することを特徴とする請求項５に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技の進行に応じて発生し得る判定権利に起因して遊技に関する当り外れを判定する当否判定手段と、判定権利を用いて、その判定権利に対する判定結果を報知する判定結果報知手段と、判定結果の報知が完了していない状態で別の判定権利が発生した場合に、別の判定権利に対する判定結果とその判定結果の報知に先立って行われる判定演出に関する情報とを別の判定権利が用いられるまで保留記憶する保留手段と、判定権利のうち判定結果の報知待ちの複数の保留権利のそれぞれに対応させて、保留表示体を表示する保留表示手段と、保留権利が予め設定された保留演出条件を満たす第１保留権利であることを条件として、その第１保留権利に対応する保留表示体の表示態様によって第１保留権利に対する判定結果又は判定演出の内容を示唆する保留演出を実行する保留演出手段と、を備えた遊技機において、保留権利として第１保留権利とは異なる第２保留権利が存在することを条件にして、保留演出を実行するか否かについての予備抽選を行う予備抽選手段を備え、保留演出手段は、予備抽選に当たったときに、保留演出を実行し、遊技者が操作可能な操作部と、第１保留権利と第２保留権利の両方が存在するときに、操作部の操作を遊技者に促す促し報知を行う促し報知手段と、を備え、予備抽選手段は、促し報知に従って操作部の操作がされたときに予備抽選乱数を取得し、その取得した予備抽選乱数に基づいて前記予備抽選を行うところに特徴を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２の発明は、請求項１に記載の遊技機において、促し報知手段及び予備抽選手段は、第２保留権利が複数存在するときに、それら複数の第２保留権利のそれぞれに対応させて、所定の順序で、促し報知及び予備抽選を実行可能に構成されると共に、促し報知手段は、一の第２保留権利に対応する予備抽選に当たったときに、次の第２保留権利に対応する促し報知を実行する一方、一の第２保留権利に対応する予備抽選に外れたときには、以降に実行する予定の促し報知を中止し、保留演出手段は、全ての第２保留権利に対する予備抽選に当たったときに、保留演出を実行するところに特徴を有する。
【手続補正６】
【補正対象書類名】明細書
【補正対象項目名】００１０
【補正方法】変更
【補正の内容】
【００１０】
請求項３の発明は、請求項２に記載の遊技機において、予備抽選の当選確率を第２保留権利ごとに異ならせたところに特徴を有する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項４の発明は、請求項１乃至３のうち何れか１の請求項に記載の遊技機において、保留表示手段は、保留表示体を、通常の表示態様、又は、通常の表示態様とは異なる特別な表示態様で表示可能に構成されると共に、第１保留権利と第２保留権利の両方が存在するときに、第１保留権利に対応する保留表示体である第１保留表示体を特別な表示態様で表示するところに特徴を有する。
【手続補正９】
【補正対象書類名】明細書
【補正対象項目名】００１３
【補正方法】変更
【補正の内容】
【００１３】
請求項５の発明は、請求項４に記載の遊技機において、保留表示手段は、予備抽選が行われなかったとき、又は、予備抽選に外れたときに、第１保留表示体を通常の表示態様で表示するところに特徴を有する。
【手続補正１０】
【補正対象書類名】明細書
【補正対象項目名】００１４
【補正方法】変更
【補正の内容】
【００１４】
請求項６の発明は、請求項５に記載の遊技機において、保留手段は、第１保留表示体が通常の表示態様になった後も、第１保留権利の判定結果及び判定演出に関する情報をそのまま保留記憶するところに特徴を有する。
【手続補正１１】
【補正対象書類名】明細書
【補正対象項目名】００１５
【補正方法】変更
【補正の内容】
【００１５】
［請求項１の発明］
請求項１の発明では、第１保留権利とは異なる第２保留権利が存在することを条件にして予備抽選が行われ、その予備抽選に当たったときに、保留演出が実行される。このように、本発明によれば、保留演出の対象となる第１保留権利だけでなく第２保留権利にも起因して保留演出が実行されるので、保留演出の実行に際して、趣向性の向上を図ることが可能となる。また、本発明によれば、遊技者により操作部が操作されたときに予備抽選が行われるので、遊技者の意志によって予備抽選を行わせることが可能となる。しかも、本発明によれば、予備抽選の抽選結果が遊技者の操作そのもので左右されるので、操作部を操作する遊技者の遊技に参加することに対する趣向性を高めることが可能となる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
［請求項２の発明］
請求項２の発明によれば、複数の予備抽選を経て保留演出の実行が決定されるので、保留演出の実行へ向けて段階的に近づく印象を遊技者に付与することが可能となる。
【手続補正１５】
【補正対象書類名】明細書
【補正対象項目名】００１９
【補正方法】変更
【補正の内容】
【００１９】
［請求項３の発明］
請求項３の発明によれば、複数の予備抽選の間で当選確率が異なるので、予備抽選についての趣向性を向上させることが可能となる。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
［請求項４の発明］
請求項４の発明によれば、第１保留表示体が特別な表示態様で表示されるので、保留演出の対象となりうる保留権利を遊技者に認識させることが可能となる。
【手続補正１８】
【補正対象書類名】明細書
【補正対象項目名】００２２
【補正方法】変更
【補正の内容】
【００２２】
［請求項５の発明］
請求項５の発明では、第１保留表示体の表示態様は、予備抽選に外れたときに通常の表示態様に変更されるので、予備抽選の当り外れの差を遊技者に認識させ易くすることが可能となる。
【手続補正１９】
【補正対象書類名】明細書
【補正対象項目名】００２３
【補正方法】変更
【補正の内容】
【００２３】
［請求項６の発明］
請求項６の発明によれば、予備抽選に外れた後も、第１保留権利に対する判定結果及び判定演出の内容はそのまま維持されるので、予備抽選に外れた場合であっても、第１保留権利に対する判定結果や判定演出の内容について遊技者に期待を抱かせることが可能となる。
【手続補正２０】
【補正対象書類名】明細書
【補正対象項目名】００６６
【補正方法】変更
【補正の内容】
【００６６】
ステップＳ２１が終了すると、図６に示すように、３番目の保留権利（第１保留権利）が発生したときに実行されていた判定演出が終了したか否かが再び判断される（Ｓ２２）。そして、判定演出が終了した場合には（Ｓ２２でＹｅｓ）、第１保留表示体３３Ａを通常の表示態様に戻すと共に促し報知体３８及び「ＯＫ」の文字を消し（Ｓ２３）、この保留演出処理（Ｓ１０）を終了する。一方、判定演出が終了していない場合には（Ｓ２２でＮｏ）、操作ボタン２９が押されたか否かが判断される（Ｓ２４）。
【手続補正２１】
【補正対象書類名】明細書
【補正対象項目名】００７３
【補正方法】変更
【補正の内容】
【００７３】
また、予備抽選に外れた場合、第１保留表示体３３Ａの表示態様が特別な表示態様（「？」を付した表示態様）から通常の表示態様（「？」が付されない表示態様）に変更されることで、何れの保留表示体３３が保留演出の対象であったかが遊技者に認識され難くなり、趣向性を高めることが可能である。さらに、第１保留権利に対する判定結果や判定演出の内容は、第１保留表示体３３Ａの表示態様が通常の表示態様であるか特別な表示態様であるかに拘わらず同じであるので、仮に、予備抽選に外れたことによって第１保留表示体３３Ａが通常の表示態様に変更されたとしても、第１保留権利が用いられるときには、予備抽選に当選したときと同じ判定結果の報知及び判定演出が実行される。これにより、保留演出が行われなかった場合であっても、第１保留権利が用いられるときの判定結果や判定演出の内容について、遊技者に期待を抱かせることが可能となる。具体的には、元々第１保留表示体３３Ａの遊技の進行状況は、第１保留表示体３３Ａが通常の表示態様か特別な表示態様に拘わらず同じであるので、仮に、予備抽選に外れたことによって特別な表示態様から通常の表示態様に変更されたとしても、その保留権利については、同じ判定演出が実行される。従って、同じ判定演出が行われることを知らない遊技者にとっては、予備抽選で外れても、予備抽選に当選したときと同じ判定演出が行われるので、意外性を与えることが可能となり、同じ判定演出が行われることを知っている遊技者にとっては、予備抽選で第１保留表示体３３Ａを変化させるという趣向性に加えて、第１保留権利に対応する判定演出について趣向性を高めることが可能となる。
【手続補正２２】
【補正対象書類名】明細書
【補正対象項目名】００７５
【補正方法】変更
【補正の内容】
【００７５】
（１）上記実施形態では、保留権利が第１保留権利となった場合に、第１保留表示体３３Ａが特別な表示態様（「？」が付された表示態様）で表示されていたが、通常の表示態様（「？」が付されない表示態様）で表示されてもよい。なお、本構成においても、促し報知の発生（促し報知体３８の表示）により、遊技者に保留演出の可能性を示唆することが可能である。
【手続補正２３】
【補正対象書類名】明細書
【補正対象項目名】００８６
【補正方法】削除
【補正の内容】
【手続補正２４】
【補正対象書類名】明細書
【補正対象項目名】００８７
【補正方法】変更
【補正の内容】
【００８７】
（１２）上記実施形態の保留演出は、第１保留権利に対する当否判定結果を示唆する構成であったが、判定演出の種類や、大当り以外に遊技者に有利となる特典（例えば、確変やＳＴ（回数限定付きの確変）への突入）への期待度を示唆する構成であってもよい。
【手続補正２５】
【補正対象書類名】明細書
【補正対象項目名】００８８
【補正方法】変更
【補正の内容】
【００８８】
（１３）上記実施形態では、第１保留権利が１つのみ存在する例を示したが、第１保留権利が複数存在してもよい。この場合、例えば、図８（Ａ）に示すように、先に使用される第１保留権利について、予備抽選によって保留演出の可否を決定した後、次に使用される第１保留権利について、保留演出の可否を決定すればよい。なお、図８（Ｂ）に示すように、先の第１保留権利に対する保留演出の可否を決定するために行われる予備抽選の結果が、次の第１保留権利に対する保留演出の可否に利用されてもよい。
【手続補正２６】
【補正対象書類名】明細書
【補正対象項目名】００８９
【補正方法】変更
【補正の内容】
【００８９】
（１４）上記実施形態では、１回目の予備抽選が１番目の第２保留表示体３３Ｂに対応して行われ、２回目の予備抽選が２番目の第２保留表示体３３Ｂに対応して行われるというように、予備抽選に対応する保留表示体３３が、１番目の保留表示体３３から順番に３番目の保留表示体３３である第１保留表示体３３Ａへ近づくように予備抽選が行われていたが、最終的に第１保留表示体３３Ａに近づくものであればどのような順番であってもよい。なお、その順番は、予め表示して遊技者に分かりやすくしてもよいし、予め表示されずに、予備抽選に当選することによって、初めて、次の促し報知体３８が表示されてもよい。
【手続補正２７】
【補正対象書類名】明細書
【補正対象項目名】００９０
【補正方法】変更
【補正の内容】
【００９０】
（１５）上記実施形態では、予備抽選での当否に拘わらず、第１保留権利に対する判定演出の内容が同じであったが、例えば、予備抽選に外れた場合には、第１保留権利に対する判定演出の内容を変更してもよい。
［参考実施形態］
本発明の技術的範囲には属さないが、上記実施形態を変形した参考実施形態として、予備抽選乱数の取得を第１保留権利の発生時に行い、操作ボタン２９が操作されたことを条件にして、取得した予備抽選乱数の当り外れを判定する構成が挙げられる。この構成によっても、上記実施形態と同様の効果を奏することが可能となる。
［上記実施形態、上記他の実施形態及び上記参考実施形態の構成のまとめ］
上記実施形態、上記他の実施形態及び上記参考実施形態には、以下の［１］〜［９］の構成が含まれている。
［１］
遊技の進行に応じて発生し得る判定権利に起因して遊技に関する当り外れを判定する当否判定手段と、
前記判定権利を用いて、その判定権利に対する判定結果を報知する判定結果報知手段と、
前記判定結果の報知が完了していない状態で別の判定権利が発生した場合に、前記別の判定権利に対する前記判定結果とその判定結果の報知に先立って行われる判定演出に関する情報とを前記別の判定権利が用いられるまで保留記憶する保留手段と、
前記判定権利のうち前記判定結果の報知待ちの複数の保留権利のそれぞれに対応させて、保留表示体を表示する保留表示手段と、
前記保留権利が予め設定された保留演出条件を満たす第１保留権利であることを条件として、その第１保留権利に対応する前記保留表示体の表示態様によって前記第１保留権利に対する前記判定結果又は前記判定演出の内容を示唆する保留演出を実行する保留演出手段と、を備えた遊技機において、
前記保留権利として前記第１保留権利とは異なる第２保留権利が存在することを条件にして、前記保留演出を実行するか否かについての予備抽選を行う予備抽選手段を備え、
前記保留演出手段は、前記予備抽選に当たったときに、前記保留演出を実行することを特徴とする遊技機。
［１］の構成では、第１保留権利とは異なる第２保留権利が存在することを条件にして予備抽選が行われ、その予備抽選に当たったときに、保留演出が実行される。このように、本発明によれば、保留演出の対象となる第１保留権利だけでなく第２保留権利にも起因して保留演出が実行されるので、保留演出の実行に際して、趣向性の向上を図ることが可能となる。
［２］
遊技者が操作可能な操作部と、
前記第１保留権利と前記第２保留権利の両方が存在するときに、前記操作部の操作を遊技者に促す促し報知を行う促し報知手段と、を備え、
前記予備抽選手段は、前記促し報知に従って前記操作部が操作されたときに、前記予備抽選を行うことを特徴とする［１］に記載の遊技機。
［２］の構成によれば、遊技者により操作部が操作されたときに予備抽選が行われるので、遊技者の意志によって予備抽選を行わせることが可能となる。
［３］
前記予備抽選手段は、前記促し報知に従って前記操作部の操作がされたときに予備抽選乱数を取得し、その取得した予備抽選乱数に基づいて前記予備抽選を行うことを特徴とする［２］に記載の遊技機。
［３］の構成によれば、予備抽選の抽選結果が遊技者の操作そのもので左右されるので、操作部を操作する遊技者の遊技に参加することに対する趣向性を高めることが可能となる。
［４］
前記促し報知手段及び前記予備抽選手段は、前記第２保留権利が複数存在するときに、それら複数の前記第２保留権利のそれぞれに対応させて、所定の順序で、前記促し報知及び前記予備抽選を実行可能に構成されると共に、
前記促し報知手段は、一の第２保留権利に対応する前記予備抽選に当たったときに、次の第２保留権利に対応する前記促し報知を実行する一方、前記一の第２保留権利に対応する前記予備抽選に外れたときには、以降に実行する予定の前記促し報知を中止し、
前記保留演出手段は、全ての前記第２保留権利に対する前記予備抽選に当たったときに、前記保留演出を実行することを特徴とする［２］又は［３］に記載の遊技機。
［４］の構成によれば、複数の予備抽選を経て保留演出の実行が決定されるので、保留演出の実行へ向けて段階的に近づく印象を遊技者に付与することが可能となる。
［５］
前記予備抽選の当選確率を前記第２保留権利ごとに異ならせたことを特徴とする［４］に記載の遊技機。
［５］の構成によれば、複数の予備抽選の間で当選確率が異なるので、予備抽選についての趣向性を向上させることが可能となる。
［６］
前記予備抽選の当選確率を、前記第１保留権利に対する前記判定結果又は前記判定演出に応じて異ならせたことを特徴とする［１］乃至［５］のうち何れか１に記載の遊技機。
［６］の構成では、第１保留権利に対する判定結果又は判定演出の内容によって、予備抽選の当選確率が異なるので、予備抽選に当選するか否かについて遊技者に興味を抱かせることが可能となる。
［７］
前記保留表示手段は、前記保留表示体を、通常の表示態様、又は、前記通常の表示態様とは異なる特別な表示態様で表示可能に構成されると共に、前記第１保留権利と前記第２保留権利の両方が存在するときに、前記第１保留権利に対応する前記保留表示体である第１保留表示体を前記特別な表示態様で表示することを特徴とする［１］乃至［６］のうち何れか１に記載の遊技機。
［７］の構成によれば、第１保留表示体が特別な表示態様で表示されるので、保留演出の対象となりうる保留権利を遊技者に認識させることが可能となる。
［８］
前記保留表示手段は、前記予備抽選が行われなかったとき、又は、前記予備抽選に外れたときに、前記第１保留表示体を前記通常の表示態様で表示することを特徴とする［７］に記載の遊技機。
［８］の構成では、第１保留表示体の表示態様は、予備抽選に外れたときに通常の表示態様に変更されるので、予備抽選の当り外れの差を遊技者に認識させ易くすることが可能となる。
［９］
前記保留手段は、前記第１保留表示体が前記通常の表示態様になった後も、前記第１保留権利の前記判定結果及び前記判定演出に関する情報をそのまま保留記憶することを特徴とする［８］に記載の遊技機。
［９］の構成によれば、予備抽選に外れた後も、第１保留権利に対する判定結果及び判定演出の内容はそのまま維持されるので、予備抽選に外れた場合であっても、第１保留権利に対する判定結果や判定演出の内容について遊技者に期待を抱かせることが可能となる。